(57)【要約】      （修正有）【課題】光走査装置において、発光点とコリメータレンズとの間隔のバラツキを補正し、発光点間でピント位置がずれるという現象を解消する。【解決手段】マルチビーム光源部３２において、マルチビームレーザダイオードアレイ１０１が備える複数の発光点から照射された複数の光ビームをコリメータレンズ１０３を介して導光した後に射出する光走査装置であって、前記発光点の配列面に対する前記コリメータレンズの傾斜角度を調節可能とする。【選択図】図３
2011158564.tif 000002
【特許請求の範囲】
【請求項１】
マルチビームレーザダイオードアレイが備える複数の発光点から照射された複数の光ビームをコリメータレンズを介して導光した後に射出する光走査装置であって、
前記発光点の配列面に対する前記コリメータレンズの傾斜角度を調節可能とされていることを特徴とする光走査装置。
【請求項２】
前記コリメータレンズが固定されると共に前記マルチビームレーザダイオードアレイの配置位置を中心として回動可能に軸支されるレンズ回転調節ブロックを備え、当該レンズ回転調節ブロックを回動することにより、前記発光点の配列面に対する前記コリメータレンズの傾斜角度を調節することを特徴とする請求項１記載の光走査装置。
【請求項３】
前記レンズ回転調節ブロックの回動角度を目視可能とする目盛りを備えることを特徴とする請求項２記載の光走査装置。
【請求項４】
前記コリメータレンズを取付可能な扁平領域を備えるコリメータレンズ取付台を備え、前記扁平領域上における前記コリメータレンズの取付位置を調節することにより、前記発光点の配列面に対する前記コリメータレンズの傾斜角度を調節することを特徴とする請求項１記載の光走査装置。
【請求項５】
前記コリメータレンズ取付台は、前記コリメータレンズを取り付ける際に用いられる取付冶具の設置基準位置となる基準部を備えることを特徴とする請求項４記載の光走査装置。
【請求項６】
前記コリメータレンズから射出された前記光ビームの光路を調節する光路調節手段を備えることを特徴とする請求項１〜５いずれかに記載の光走査装置。
【請求項７】
光ビームを射出すると共に走査する光走査装置と、前記光ビームが照射されることにより静電潜像が形成される感光体と、前記静電潜像を現像することでトナー像を形成する現像装置とを備える画像形成装置であって、
前記光走査装置として、請求項１〜６いずれかに記載の光走査装置を備えることを特徴とする画像形成装置。
【発明の詳細な説明】
【技術分野】
【０００１】
本発明は光走査装置及び画像形成装置に関する。
【背景技術】
【０００２】
従来から、複写機や複合機等の画像形成装置においては、感光体ドラム等の像担持体を露光するために光走査装置が用いられている。この光走査装置は、ハウジング内に、光源としてのレーザダイオードと、そのレーザダイオードから照射された光ビームを平行化するコリメータレンズ（カップリングレンズ）と、そのコリメータレンズから出た光ビームを絞り込むシリンダレンズと、そのシリンダレンズから出た光ビームを偏向走査するポリゴンミラーと、そのポリゴンミラーを回転駆動するポリゴンモータ（ポリゴンスキャナモータ）と、そのポリゴンミラーにより偏向された光ビームを像担持体に結像させるｆθレンズ等の光学素子群とを収容して構成されている。
上記コリメータレンズ及びシリンダレンズは、それらレンズの下部形状に合致した形状を有する載置部を備えたレンズ保持部材に固定されてハウジング内に収容されている（特許文献１参照）。すなわち、レンズ保持部材のコリメータレンズを載置する部分の形状は、円形のコリメータレンズの下部を受け入れるように湾曲面に形成され、下部が扁平のシリンダレンズを載置する部分の形状は、平面に形成されている。
【０００３】
ところで、近年、プリンタや複写機の高速化、高解像度化が進んでおり、これを達成する方法として、ポリゴンモータの回転速度を高める方法がある。しかし、この方法は、ポリゴンモータの消費電力が増えるため光走査装置を収容するハウジングが発熱によって変形し、像担持体上での走査位置ズレや走査ラインの傾き等が発生するので、ポリゴンモータの回転速度を許容回転数以上に高めることができないという問題点を有している。
このため、ポリゴンモータの回転速度を高めずに、光源から複数の光ビームを照射できるようにした光走査装置が使用されるようになってきている（特許文献２参照）。この光走査装置は、複数の光ビームにより被走査面上を一括で走査することができるので、ポリゴンモータの回転速度を上げることなく高速化、高解像度化を実現することができる。また、光走査装置の光源部は、一つの光源部に複数の発光点をアレイ状に並べたマルチビームレーザダイオードアレイからなるので、複数の光源部からの光ビームを合成する方法に比べて部品点数が少なく、シングル光ビームを用いた場合と同じスペースに収められるという特長を有している。
【先行技術文献】
【特許文献】
【０００４】
【特許文献１】特開平９−２１８３６８号公報
【特許文献２】特開２００７−７９２９５号公報
【発明の概要】
【発明が解決しようとする課題】
【０００５】
しかしながら、マルチビームレーザダイオードアレイを備えた光走査装置は、マルチビームレーザダイオードアレイのチップの実装精度の問題から、発光点の配列面が光軸に直交する面に対して傾く可能性がある。しかも、マルチビームレーザダイオードアレイの発光点間隔は、熱クロストークの問題から数十μｍを確保する必要があり、その間隔を５０μｍとした場合、１．５°の傾きは、２ビームでは１．３μｍの発光点位置誤差となり、４ビームでは４μｍの発光点位置誤差となってしまう。発光点とコリメータレンズとの間隔にバラツキがあると、光ビーム間でピント位置がずれるという現象が生じ、画像品質を劣化させるのでバラツキを抑える必要がある。
例えば、結像光学系の主走査焦点距離が３００ｍｍで、コリメータレンズの焦点距離が１２．５ｍｍの場合、発光点バラツキが１μｍに対してピント位置の差が０．５８ｍｍ発生してしまう。
この問題を解決するためには、発光点の配列面の角度とコリメータレンズの角度を揃えればよい。特許文献１では、コリメータレンズは、コリメータレンズの下部の形状に合致した湾曲面に形成されたレンズ保持部材に載置されているために、コリメータレンズの角度を調整することが困難である。また、特許文献２では、マルチビームレーザダイオードアレイ側を調整するようにしているが、光源部側には、副走査ピッチ調整のための回転調整機構を持たせる必要があるため、構成が複雑化し、調整も困難になる欠点がある。
【０００６】
本発明は、上述する問題点に鑑みてなされたもので、光走査装置において、複数の光ビームのピント位置を容易に調節可能することを目的とする。
【課題を解決するための手段】
【０００７】
本発明は、上記課題を解決するための手段として、以下の構成を採用する。
【０００８】
第１の発明は、マルチビームレーザダイオードアレイが備える複数の発光点から照射された複数の光ビームをコリメータレンズを介して導光した後に射出する光走査装置であって、前記発光点の配列面に対する前記コリメータレンズの傾斜角度を調節可能とされているという構成を採用する。
【０００９】
第２の発明は、上記第１の発明において、前記コリメータレンズが固定されると共に前記マルチビームレーザダイオードアレイの配置位置を中心として回動可能に軸支されるレンズ回転調節ブロックを備え、当該レンズ回転調節ブロックを回動することにより、前記発光点の配列面に対する前記コリメータレンズの傾斜角度を調節するという構成を採用する。
【００１０】
第３の発明は、上記第２の発明において、前記レンズ回転調節ブロックの回動角度を目視可能とする目盛りを備えるという構成を採用する。
【００１１】
第４の発明は、上記第１の発明において、前記コリメータレンズを取付可能な扁平領域を備えるコリメータレンズ取付台を備え、前記扁平領域上における前記コリメータレンズの取付位置を調節することにより、前記発光点の配列面に対する前記コリメータレンズの傾斜角度を調節するという構成を採用する。
【００１２】
第５の発明は、上記第４の発明において、前記コリメータレンズ取付台が、前記コリメータレンズを取り付ける際に用いられる取付冶具の設置基準位置となる基準部を備えるという構成を採用する。
【００１３】
第６の発明は、上記第１〜第５いずれかの発明において、前記コリメータレンズから射出された前記光ビームの光路を調節する光路調節手段を備えるという構成を採用する。
【００１４】
第７の発明は、光ビームを射出すると共に走査する光走査装置と、前記光ビームが照射されることにより静電潜像が形成される感光体と、前記静電潜像を現像することでトナー像を形成する現像装置とを備える画像形成装置であって、前記光走査装置として、上記第１〜第６いずれかの発明における光走査装置を備えるという構成を採用する。
【発明の効果】
【００１５】
本発明によれば、発光点の配列面に対するコリメータレンズの傾斜角度を調節可能とされている。
このため、全ての発光点からのコリメータレンズまでの距離を容易に均等に調節することができ、光走査装置において、複数の光ビームのピント位置を容易に調節可能することが可能となる。
【図面の簡単な説明】
【００１６】
【図１】本発明の第１実施形態の複写機の概略構成を示す断面図である。
【図２】本発明の第１実施形態の複写機が備えるレーザスキャニングユニットのカバーを外した状態の斜視図である。
【図３】本発明の第１実施形態の複写機が備えるマルチビーム光源部の平面図である。
【図４】本発明の第１実施形態の複写機が備えるマルチビーム光源部の正面図である。
【図５】本発明の第１実施形態の複写機が備えるマルチビーム光源部の右面図である。
【図６】本発明の第１実施形態の複写機が備えるコリメータレンズの角度調整後を示す説明図である。
【図７】本発明の第２実施形態の複写機が備えるマルチビーム光源部の平面図である。
【図８】本発明の第２実施形態の複写機が備えるマルチビーム光源部の正面図である。
【図９】本発明の第２実施形態の複写機が備えるマルチビーム光源部の右面図である。
【図１０】本発明の第２実施形態の複写機が備えるコリメータレンズの角度調整後を示す説明図である。
【発明を実施するための形態】
【００１７】
以下、図面を参照して、本発明に係る光走査装置及び画像形成装置の一実施形態について説明する。なお、以下の図面において、各部材を認識可能な大きさとするために、各部材の縮尺を適宜変更している。また、以下の説明においては、本発明の画像形成装置の一例として複写機を挙げて説明する。
【００１８】
図１は、本実施形態の複写機Ｐの概略構成を示す断面図である。この図に示すように、本実施形態の複写機Ｐは、原稿の画像を読み取る画像読取部１と、読み取った画像データに基づいて記録紙（記録媒体）に印刷を行う印刷部２とを備えている。
【００１９】
画像読取部１は、原稿の画像に光を照射し、その反射光を受光することによって原稿の画像を画像データとして読み取るものであり、原稿に光を照射する光源装置や原稿からの戻り光を受光して画像データに変換する受光センサ等を備えている。
【００２０】
印刷部２は、ベルトユニット６と、画像形成ユニット７と、給紙カセット８と、給紙トレイ９と、二次転写部１０と、定着部１１と、排紙トレイ１２と、搬送路１３とを備えている。
【００２１】
ベルトユニット６は、画像形成ユニット７において形成されるトナー画像が転写され、この転写されたトナー画像を搬送するものであり、画像形成ユニット７からトナー画像が転写される中間転写ベルト６１と、中間転写ベルト６１を架設すると共に無端回送させる駆動ローラ６２と、従動ローラ６３と及びテンションローラ６４を備えている。
中間転写ベルト６１は、駆動ローラ６２、従動ローラ６３及びテンションローラ６４に張架される構成となっている。
駆動ローラ６２は、モータ等の駆動源を有する駆動部に接続され、中間転写ベルト６１に対しグリップ力を付与しつつ回走させるものである。
従動ローラ６３は、駆動ローラ６２の回転駆動に従動して回転駆動するものである。
テンションローラ６４は、駆動ローラ６２の回転駆動に従動して回転駆動する従動ローラの一種であり、バネ機構を有して中間転写ベルト６１にテンションを与えるものである。
また、ベルトユニット６には、不図示のクリーニング部が併設されており、中間転写ベルト６１に残留したトナー等を除去する構成となっている。
【００２２】
画像形成ユニット７は、イエロー（Ｙ）、マゼンダ（Ｍ）、シアン（Ｃ）、ブラック（ＢＫ）の各色にそれぞれ対応して設けられており、各色のトナー画像を形成するものである。そして、これらの画像形成ユニット７は、中間転写ベルト６１に沿って配列されている。
【００２３】
各画像形成ユニット７は、感光体７１と、帯電器７２と、レーザスキャニングユニット（光走査装置）７３と、現像装置７４と、一次転写ローラ７５と、クリーニング装置７６及び不図示の除電装置等とを有する。
感光体７１は、円柱に形状設定され、その周面に静電潜像及び当該静電潜像に基づくトナー像が形成されるものである。帯電器７２は、感光体７１に対して対向配置され、感光体７１の周面を帯電状態とするものである。レーザスキャニングユニット７３は、印刷形式の画像データに基づいて射出されるレーザ光を帯電状態の感光体７１の周面において走査するものである。現像装置７４は、感光体７１の周面に対してトナーを供給することによって感光体７１の周面上に静電潜像に基づくトナー像を現像するものである。一次転写ローラ７５は、中間転写ベルト６１を挟んで感光体７１と対向配置され、感光体７１に現像されたトナー像を中間転写ベルト６１に一次転写するものである。クリーニング装置７６は、一次転写の後に感光体７１上に残留したトナーを除去するものである。
【００２４】
給紙カセット８は、装置本体に対して引き出し自在であり、記録紙を収容するものである。給紙トレイ９は、装置本体に対して開閉自在であり、記録紙を収容するものである。
二次転写部１０は、中間転写ベルト６１上に形成された画像を記憶媒体に二次転写するものであって、中間転写ベルト６１を駆動させる駆動ローラ６２と、中間転写ベルト６１を挟んで該駆動ローラ６２と対向配置される二次転写ローラ１０ａとから構成されている。
定着部１１は、記憶媒体上に二次転写されたトナー像を記録紙に定着させるものであり、加圧及び加熱することによりトナー像を記録紙に定着させる加熱ローラを備える。
搬送路１３は、給紙カセット８から記憶紙を搬出するピックアップローラ１３ａ、記憶媒体を搬送する給紙ローラ１３ｂ、排紙トレイ１２に記憶媒体を排紙する排紙ローラ１３ｃ等を備える。
【００２５】
このような構成を有する本実施形態の複写機Ｐは、上述のように、画像読取部１において画像データを取得し、さらに印刷部２が当該画像データに基づいて記録紙に印刷を行う。
【００２６】
次に、本実施形態の複写機Ｐにおけるレーザスキャニングユニット（ＬＳＵ）７３について、図２及び図３を用いて説明する。なお、各レーザスキャニングユニット７３は、同一構成であるため、以下の説明においては、１つのレーザスキャニングユニット７３のみについて説明する。
【００２７】
レーザスキャニングユニット７３は、ハウジング３１と、マルチビーム光源部３２と、ポリゴンミラー３３と、ポリゴンモータ３４と、制御基板３５と、光学素子３６ａ〜３６ｄと、反射ミラー３７と、センサ３８とを備えている。
【００２８】
ハウジング３１は合成樹脂製で、内部に所定容積の空間を備えた中空体に成形されており、その内部にマルチビーム光源部３２、ポリゴンミラー３３、ポリゴンモータ３４、制御基板３５、光学素子３６ａ〜３６ｄ、反射ミラー３７及びセンサ３８等を収容している。
【００２９】
マルチビーム光源部３２は、ハウジング３１の一つの側壁に接して設けられていて、ハウジング３１内に設けられているポリゴンミラー３３に向けて複数の光ビームを照射するものである。このマルチビーム光源部３２については、後に詳述する。
【００３０】
ポリゴンミラー３３は、マルチビーム光源部３２から射出された光ビームを偏向走査するものであり、その平面形状は多角形（図示の例では六角形）を呈している。そして、ポリゴンミラー３３は、その外周が反射ミラーで形成されていて、その中心位置がポリゴンモータ３４の回転軸に貫通して取り付けられている。
【００３１】
ポリゴンモータ３４は、ポリゴンミラー３３を回転駆動するものであり、例えば、ＤＣブラシレスモータ等からなる精密モータから構成されていている。そして、このポリゴンモータ３４は、制御基板３５上に設置されている。
【００３２】
制御基板３５は、金属を含む板材からなり、その平面形状は長方形を呈している。そして、この制御基板３５は、裏面が僅かなクリアランスを介してハウジング３１の内側底面に対向して配置されており、その四隅がビス３５ａによって固定されることにより支持されている。
また、制御基板３５の表面側、すなわちハウジング３１の内側に向く面側には、ポリゴンモータ３４が実装されている。なお、図２及び図３では省略されているが、制御基板３５には、ポリゴンモータ３４の駆動用ＩＣ等の電子部品が実装されている。
【００３３】
光学素子３６ａ〜３６ｃのうち、光学素子３６ａは、感光体７１に結像するためのｆθレンズである。また、光学素子３６ｂが長尺レンズであり、光学素子３６ｃが三角レンズであり、これらの光学素子３６ｂ，３６ｃによって、ｆθレンズで結像された光ビームを感光体７１上に導いている。
【００３４】
反射ミラー３７及びセンサ３８は、共にハウジング３１内に配置固定されていて、このうち反射ミラー３７は、光学素子３６ｂを通過した光ビームをセンサ３８に向けて照射できるように構成されている。そして、センサ３８は、反射ミラー３７から光ビームを受けたときに所定の同期検出信号が得られるように構成されている。そして、センサ３８が不図示の制御装置と接続されており、当該制御装置は、センサ３８からの同期検出信号に基づいて感光体７１における書き出し位置を設定する。
【００３５】
このように構成されたレーザスキャニングユニット７３においては、マルチビーム光源部３２から画像データに基づいて生成された複数の光ビームが射出され、これら光ビームは、ポリゴンミラー３３に照射される。ポリゴンミラー３３に照射された光ビームは、ポリゴンミラー３３の回転により偏向走査される。そして、その偏向走査された光ビームは、光学素子３６ａ（ｆθレンズ）、光学素子３６ｂ、光学素子３６ｃ（長尺レンズ）及び光学素子３６ｄ（三角レンズ）を介して感光体７１上に導かれる。感光体７１上には、センサ３８で検出された同期信号、すなわち、感光体７１への画像の書き出し位置を決定するための検知信号に基づいて、照射された光ビームによって静電潜像が形成される。
【００３６】
次に、マルチビーム光源部３２について、図３〜図６を用いて説明する。このマルチビーム光源部３２は、レーザブラケット１００と、マルチビームレーザダイオードアレイ（以下、「レーザダイオードアレイ」という。）１０１と、レンズ回転調整ブロック１０２と、コリメータレンズ１０３と、シリンダレンズ１０４とを含んで構成されている。
【００３７】
レーザブラケット１００は、中央部分にレーザダイオードアレイ１０１を取付けるための段付孔１００ａが設けられている。そして、このレーザブラケット１００は、ポリゴンミラー３３に対向して開口している開孔３１ａの設けられているハウジング３１の一つの側壁の外側に設けられる。レーザブラケット１００がその側壁に取り付けられたとき、そのレーザブラケット１００に取り付けられているレーザダイオードアレイ１０１の発光面が開孔３１ａ内に位置すると共に、その発光面がポリゴンミラー３３に向けられるように決められている。また、このレーザブラケット１００は、レーザダイオードアレイ１０１の発光面の中心位置を通過する線、すなわち、レーザダイオードアレイ１０１の光軸Ｘ１−Ｘ１を中心にして回転可能に構成されていると共に、所定回転位置を保ってビス３１ｂ，３１ｂを用いてハウジング３１の側壁に固定できるように構成されている。
【００３８】
レーザダイオードアレイ１０１は、一次元に配列した複数個の発光点（図示の例では４個の発光点（図３の４本の一点鎖線参照））を有する面発光型半導体レーザアレイから構成されている。もちろん、このレーザダイオードアレイ１０１は、二次元に配列した複数個の発光点を有する面発光型半導体レーザアレイとすることもできる。
【００３９】
レンズ回転調整ブロック１０２は、平面形状が略長方形を呈していて、その長手方向が光軸Ｘ１−Ｘ１方向と一致するようにハウジング３１の底面上に載置されている。そして、このレンズ回転調整ブロック１０２の開孔３１ａ側の短辺（図３において左側の短辺）は、平面形状が三角形に形成され、その三角形の頂点部分がビス３１ｃを介してハウジング３１の底面上に回転自在に連結されている。
このレンズ回転調整ブロック１０２の反対側の短辺近くには、ビス３１ｃを中心にして描かれた円弧に沿った長孔１０５が設けられている。この長孔１０５に対向したハウジング３１の底面位置で、光軸Ｘ１−Ｘ１と交差した位置には、ネジ孔３１ｄが設けられていて、そのネジ孔３１ｄにビス１０６が螺合できるように構成されている。
長孔１０５の設けられている側のレンズ回転調整ブロック１０２の短辺周縁には、等間隔に刻印された目盛り１０７が設けられていると共に、その目盛り１０７に対応したハウジング３１の底面上にも目盛り１０８が設けられている。これらの目盛り１０７，１０８によって、目視によってレンズ回転調節ブロック１０２の回動角度を確認することができる。
このレンズ回転調整ブロック１０２の上面のレーザダイオードアレイ１０１側は、光軸Ｘ１−Ｘ１方向からみたときにＶ字状を呈するコリメータレンズ１０３を取り付けるための載置台１０２ａに形成され、レーザダイオードアレイ１０１側と反対側は、扁平に形成されたシリンダレンズ１０４を取り付けるための載置台１０２ｂに形成されている。
【００４０】
コリメータレンズ１０３は、レーザダイオードアレイ１０１から照射された光ビームを平行化するもので、一方の面が扁平で、その反対面が凸の円形レンズから構成されている。そして、このコリメータレンズ１０３は、レンズ回転調整ブロック１０２の載置台１０２ａ上に、扁平な面側がレーザダイオードアレイ１０１側に向くようにして接着材等の固定手段を介して固定されている。
【００４１】
シリンダレンズ１０４は、コリメータレンズ１０３から出た光ビームを主走査方向に絞り込むもので、一方の面が凸で、その反対面が扁平の略正方形のレンズから構成されている。そして、このシリンダレンズ１０４は、レンズ回転調整ブロック１０２の載置台１０２ｂ上に、凸面側がレーザダイオードアレイ１０１側に向くようにして接着材等の固定手段を介して固定されている。
【００４２】
上記構成からなるマルチビーム光源部３２の調整手順について説明する。この調整に当っては、光軸Ｘ１−Ｘ１線上で、感光体７１の位置に相当する位置を被走査面とし、その被走査面に検出用センサを設けて行なわれる。
先ず最初に、感光体７１の回転に対する調整、すなわち副走査ピッチ調整が行なわれる。この調整は、コリメータレンズ１０３に対してレーザブラケット１００を移動させて光軸調整を行い、中央に近い発光点を発光させ、被走査面でのピント位置を見ながらコリメータレンズ１０３の軸方向位置を決定する。次いで、レーザブラケット１００を回転させ所定の副走査ピッチが得られた位置でビス３１ｂ，３１ｂを締めてレーザブラケット１００をハウジング３１に固定する。図５のコリメータレンズ１０３に示される４個の点は発光点を示しており、これらの傾きは、調整された副走査ピッチを示している。
【００４３】
次いで、レンズ回転調整ブロック１０２の調整が行なわれる。この調整は、当初、図３に一点鎖線で示されるように、レーザダイオードアレイ１０１の固有の品質により、各発光点からコリメータレンズ１０３に照射される光軸の長さが光軸の傾きにより発光点からコリメータレンズ１０３までの距離が異なっている。したがって、この調整は、コリメータレンズ１０３の角度を変えて全ての光軸の長さを等しくするために行なわれる。
この調整に当っては、先ず、コリメータレンズ１０３を固定しているレンズ回転調整ブロック１０２をビス３１ｃを支軸にして回転させ、その回転中、被走査面において両端の光ビームの径が同じ値になるところでビス１０６を締め付けてレンズ回転調整ブロック１０２を固定する。図６は、この調整が終了し、レンズ回転調整ブロック１０２がハウジング３１に固定された状態を示している。
【００４４】
以上の構成からなる本実施形態のレーザスキャニングユニット７３は、レンズ回転調整ブロック１０２の回転位置が調整されると、レーザダイオードアレイ１０１の発光点の配列面に対するコリメータレンズ１０３の角度が調整され、各発光点からコリメータレンズ１０３に照射される光軸の長さにバラツキがなくなるので、発光点間でピント位置がずれるという現象がなくなり、画像品質の劣化を効果的に防止することがでる。
【００４５】
さらに、本実施形態のレーザスキャニングユニット７３は、コリメータレンズ１０３の角度調整を、長尺のレンズ回転調整ブロック１０２の一方側を支点に回転させて行なうようにしているので、高精度に、簡単に調整することができる。このように、簡単にコリメータレンズ１０３の角度調整を行なってレーザダイオードアレイ１０１の発光点配列面角度に合わせることができるので、レーザダイオードアレイ１０１の選別が不要となり、歩留まりを向上させることができる。
【００４６】
以上のように、本実施形態のレーザスキャニングユニット７３によれば、コリメータレンズ１０３が固定されると共にレーザダイオードアレイ１０１の配置位置を中心として回動可能に軸支されるレンズ回転調節ブロック１０２を備え、レンズ回転調節ブロック１０２を回動することにより、発光点の配列面に対するコリメータレンズ１０３の傾斜角度を調節する
このため、全ての発光点からのコリメータレンズ１０３までの距離を容易に均等に調節することができ、複数の光ビームのピント位置を容易に調節可能することが可能となる。
【００４７】
（第２実施形態）
次に、本発明の第２実施形態について説明する。なお、本実施形態の説明において、上記実施形態と同様の部分については、その説明を省略あるいは簡略化する。
【００４８】
図７〜図１０は、第２実施形態のマルチビーム光源部３２ａを示している。
このマルチビーム光源部３２ａにおいて、コリメータレンズ１０３を載置するコリメータレンズ取付台１０９は、開孔３１ａ側のハウジング３１の底面の一部分を隆起させて構成されている。このコリメータレンズ取付台１０９の上面（扁平領域）は扁平に形成されている。
したがって、このコリメータレンズ取付台１０９上に載置されたコリメータレンズ１０３は、光軸Ｘ１−Ｘ１線と交差するコリメータレンズ１０３の垂直軸Ｘ２−Ｘ２を中心にして容易に回転することができる。なお、コリメータレンズ取付台１０９は、ハウジング３１の底面の一部分を隆起させて形成したが、ハウジング３１の底面上に上面が扁平な台を設けて構成することもできる。
なお、この第２実施形態では、シリンダレンズは省略されているが、第１実施形態と同様に、コリメータレンズ１０３の後方にシリンダレンズが配置されている。
【００４９】
この第２実施形態のマルチビーム光源部３２ａにおいても、レーザブラケット１００を回転させ行う副走査ピッチ調整は上述した第１の実施例と同じである。
コリメータレンズ１０３の角度調整は、例えば、取付冶具１１０を用いて行なわれる。この取付冶具１１０は、コリメータレンズ取付台１０９に位置決めされて着脱自在に取り付けられるように構成されていると共に、コリメータレンズ取付台１０９に載置されているコリメータレンズ１０３を回転自在に保持することができるように構成されている。
なお、取付冶具１１０は、コリメータレンズ取付台１０９に設けられた基準部１２０（例えばボスや穴）を中心として回動可能にコリメータレンズ取付台１０９に装着可能とされている。
【００５０】
コリメータレンズ１０３の角度調整に当っては、先ず、コリメータレンズ１０３を取付冶具１１０を用いてコリメータレンズ取付台１０９に載置される。そして、第１の実施例と同様に、被走査面において両端の光ビームの径が同じ値になるところで垂直軸Ｘ２−Ｘ２を中心にしたコリメータレンズ１０３の回転を停止し、コリメータレンズ１０３とコリメータレンズ取付台１０９との接合箇所を接着剤で固定する。接着剤の固化後、取付冶具１１０はコリメータレンズ取付台１０９から外される。図１０は、この調整が終了し、コリメータレンズ１０３がハウジング３１に固定された状態を示している。
【００５１】
この第２実施形態においても第１の実施例と同様に、コリメータレンズ１０３の調整により、コリメータレンズ１０３の角度が変化し、コリメータレンズ１０３以降の光路がポリゴンミラー３３から外れるおそれがある。この場合は、シリンダレンズとポリゴンミラー３３との間に、不図示のウェッジプリズムやミラー等の光路調整手段が設けられる。もちろん、ポリゴンミラー３３の面積が十分であれば、この光路調整手段は不用である。
【００５２】
この第２実施形態では、コリメータレンズ１０３を直接、コリメータレンズ取付台１０９に取り付けるようにしているが、コリメータレンズ１０３を筒内に装着し、その筒をコリメータレンズ取付台１０９に取り付けるようにしてもよい。この場合は、取付冶具１１０は、その筒を保持する形状とされる。
【００５３】
この第２実施形態に係る光走査装置においても、レーザダイオードアレイ１０１の発光点の配列面の角度とコリメータレンズ１０３の角度が揃えられ、各発光点からコリメータレンズ１０３に照射される光軸の長さにバラツキがなくなるので、発光点間でピント位置がずれるという現象がなくなり、画像品質の劣化を効果的に防止することがでる。
【００５４】
以上、添付図面を参照しながら本発明の好適な実施形態について説明したが、本発明は、上記実施形態に限定されないことは言うまでもない。上述した実施形態において示した各構成部材の諸形状や組み合わせ等は一例であって、本発明の主旨から逸脱しない範囲において設計要求等に基づき種々変更可能である。
【００５５】
例えば、上記実施形態においては、本発明の光走査装置の一例であるレーザスキャニングユニット７３が画像形成装置の１つのである複写機に搭載された構成について説明した。
しかしながら、本発明の光走査装置は、これに限定されるものではなく、ポリゴンミラーを用いる機器であれば、複写機等の画像形成装置以外に、計測器、検査装置等の機器に搭載しても良い。
【符号の説明】
【００５６】
Ｐ……複写機（画像形成装置）、７３……レーザスキャニングユニット（光走査装置）、３１……ハウジング、３２，３２ａ……マルチビーム光源部、３３……ポリゴンミラー、３４……ポリゴンモータ、３５……制御基板、３６ａ〜３６ｃ……光学素子、１００……レーザブラケット、１０１……レーザダイオードアレイ（マルチビームレーザダイオードアレイ）、１０２……レンズ回転調整ブロック、１０３……コリメータレンズ、１０４……シリンダレンズ、１０５……長孔、１０６……ビス、１０７，１０８……目盛り、１０９……コリメータレンズ取付台、１１０……取付冶具
【図１】
2011158564.tif 000003
【図２】
2011158564.tif 000004
【図３】
2011158564.tif 000005
【図４】
2011158564.tif 000006
【図５】
2011158564.tif 000007
【図６】
2011158564.tif 000008
【図７】
2011158564.tif 000009
【図８】
2011158564.tif 000010
【図９】
2011158564.tif 000011
【図１０】
2011158564.tif 000012